(57)【要約】【課題】容易に且つ効率的に外被に切込みを入れることができるケーブルカッター及び外被の除去方法を提供する。【解決手段】ケーブルカッター１は、一方向に延在する溝部１３を有する本体部３と、溝部１３と対向する位置に配置され、溝部１３と協働して光ケーブル１００を挟持すると共に回転可能に設けられたローラー１７と、溝部１３及びローラー１７の少なくとも一方に設けられ、溝部１３とローラー１７とが光ケーブル１００を挟持する位置に配置されると共に、溝部１３及びローラー１７の対向方向に突出する切込み刃７と、を備える。【選択図】図１
2014176200.tif 000002
【特許請求の範囲】
【請求項１】
ケーブルの外被に切り込みを入れるケーブルカッターであって、
一方向に延在する溝部を有する本体部と、
前記溝部と対向する位置に配置され、前記溝部と協働して前記ケーブルを挟持すると共に回転可能に設けられた挟持部と、
前記溝部及び前記挟持部の少なくとも一方に設けられ、前記溝部と前記挟持部とが前記ケーブルを挟持する位置に配置されると共に、前記溝部及び前記挟持部の対向方向に突出する切込み刃と、
を備えることを特徴とするケーブルカッター。
【請求項２】
前記溝部は、前記挟持部から見て凸状に湾曲していることを特徴とする請求項１記載のケーブルカッター。
【請求項３】
前記挟持部が前記溝部に対して前記ケーブルを押圧した状態で前記挟持部を固定する固定機構を備えている請求項１又は２記載のケーブルカッター。
【請求項４】
請求項１〜３のいずれか一項記載のケーブルカッターを用いて前記ケーブルに切り込みを入れ、前記外被を除去することを特徴とする外被の除去方法。
【発明の詳細な説明】
【技術分野】
【０００１】
本発明は、ケーブルカッター及び外被の除去方法に関する。
【背景技術】
【０００２】
光ケーブルをクロージャ等に接続する際には、光ファイバを被覆する外被を除去して、光ファイバを取り出す。光ケーブルとしては、延在方向に沿って紐が埋設されているものが知られている。この光ケーブルの外被を除去する場合には、外被の一部に切り込みを入れて紐を取り出し、紐を引っ張る。これにより、外被が紐により切り裂かれるため、外被を除去できる。
【０００３】
光ケーブルに埋設された紐を取り出すための機器としては、例えば特許文献１に記載されたケーブル外被除去器が知られている。特許文献１に記載のケーブル外被除去器は、ケーブルの外被を剥ぎ取る剥き刃を備えている。このケーブル外被除去器は、光ケーブルの外被に剥ぎ刃を食い込ませて外被を剥ぐことにより、光ケーブルの外被を除去する。
【先行技術文献】
【特許文献】
【０００４】
【特許文献１】特開２００２−６４９１６号公報
【発明の概要】
【発明が解決しようとする課題】
【０００５】
上記従来のケーブル外被除去器では、外被を剥ぎ過ぎると光ファイバを傷付けるおそれがあるため、慎重に作業を行う必要があり、作業性が良くないといった問題がある。また、従来のケーブル外被除去器では、外被を剥ぐ作業が作業者の技量に依存するため、慣れない作業者が外被を除去することは容易ではない。
【０００６】
本発明は、容易に且つ効率的に外被に切込みを入れることができるケーブルカッター及び外被の除去方法を提供することを目的とする。
【課題を解決するための手段】
【０００７】
本発明に係るケーブルカッターは、ケーブルの外被に切り込みを入れるケーブルカッターであって、一方向に延在する溝部を有する本体部と、溝部と対向する位置に配置され、溝部と協働してケーブルを挟持すると共に回転可能に設けられた挟持部と、溝部及び挟持部の少なくとも一方に設けられ、溝部と挟持部とがケーブルを挟持する位置に配置されると共に、溝部及び挟持部の対向方向に突出する切込み刃と、を備えることを特徴とする。
【０００８】
このケーブルカッターでは、溝部と協働してケーブルを挟持する挟持部を備え、切込み刃は、溝部と挟持部とがケーブルを挟持する位置に配置され、溝部及び挟持部の対向方向に突出している。これにより、ケーブルカッターでは、ケーブルを溝部と挟持部とで挟持したときに、切込み刃がケーブルの外被に食い込む。そして、ケーブルカッターでは、ケーブルを挟持した状態で例えばケーブルを引っ張ると、挟持部が回転してケーブルが溝部に沿って移動し、これに伴ってケーブルの外被に切込みを入れることができる。このように、ケーブルカッターでは、一度の作業によりケーブルの外被に切り込みを入れることができる。したがって、ケーブルカッターでは、容易に且つ効率的に外被に切込みを入れることができる。
【０００９】
一実施形態においては、溝部は、挟持部から見て凸状に湾曲していてもよい。ケーブルには、外被を切り裂く紐と、抗張力線とが外被に埋設されているものがある。このケーブルでは、抗張力線及び紐のそれぞれは、互いに対向する位置に一対配置されており、抗張力線の対向方向と紐の対向方向とは、略直交している。このケーブルは、抗張力線の対向方向に沿った方向では曲がり難く、紐の対向方向に沿った方向では曲がり易いといった特性を有している。すなわち、ケーブルは、曲がる方向が一義的に決められており、曲がったときの湾曲部分の外側及び内側に紐が位置する。ケーブルカッターでは、溝部が凸状に湾曲している。これにより、ケーブルカッターでは、ケーブルを湾曲した状態で配置することができる。このとき、ケーブルにおける紐の対向方向と、切込み刃が突出する方向とが略一致するため、紐の配置された位置に切込み刃が切り込む。したがって、ケーブルカッターでは、ケーブルの位置決めを容易に且つ正確に行うことができる。
【００１０】
一実施形態においては、挟持部が溝部に対してケーブルを押圧した状態で挟持部を固定する固定機構を備えていてもよい。この構成により、ケーブルカッターでは、固定機構により、挟持部がケーブルを押圧した状態で固定されるため、作業をより容易に行うことができる。
【００１１】
本発明に係る外被の除去方法は、上記のケーブルカッターを用いてケーブルに切り込みを入れ、外被を除去することを特徴とする。
【発明の効果】
【００１２】
本発明によれば、容易に且つ効率的に外被に切込みを入れることができる。これにより、ケーブルから紐を容易に取り出すことができる。
【図面の簡単な説明】
【００１３】
【図１】一実施形態に係るケーブルカッターを示す斜視図である。
【図２】図１に示すケーブルカッターを上から見た図である。
【図３】図１に示すケーブルカッターを横から見た図である。
【図４】光ケーブルの断面構成を示す図である。
【図５】光ケーブルい切り込みを入れる手順を示す図である。
【図６】図５に示すケーブルカッターの断面構成を示す図である。
【図７】光ケーブルい切り込みを入れる手順を示す図である。
【図８】図７に示すケーブルカッターの断面構成を示す図である。
【図９】光ケーブルい切り込みを入れる手順を示す図である。
【図１０】図９に示すケーブルカッターの断面構成を示す図である。
【発明を実施するための形態】
【００１４】
以下、添付図面を参照して、本発明の好適な実施形態について詳細に説明する。なお、図面の説明において同一又は相当要素には同一符号を付し、重複する説明は省略する。
【００１５】
図１は、一実施形態に係るケーブルカッターを示す斜視図である。図２は、図１に示すケーブルカッターを上から見た図である。図３は、図１に示すケーブルカッターを横から見た図である。
【００１６】
最初に、本実施形態のケーブルカッター１により切込みが入れられる光ケーブル１００について説明する。
【００１７】
図４は、光ケーブルの断面構成を示す図である。図４に示すように、光ケーブル１００は、複数の光ファイバ１０２と、複数の光ファイバ１０２を被覆する外被１０４と、外被１０４に埋設されたテンションメンバ１０６ａ，１０６ｂと、外被１０４に埋設された切裂き紐１０８ａ，１０８ｂと、を有している。
【００１８】
光ファイバ１０２は、例えば２０，４０，６０，１００又は２００本設けられている。外被１０４は、例えばポリエチレン等の樹脂材料からなる。外被１０４には、外周面１０４ａから外側に突出する突起部１０５ａ，１０５ｂ設けられている。突起部１０５ａ，１０５ｂは、互いに対向する位置に一対配置されている。
【００１９】
テンションメンバ１０６ａ，１０６ｂは、光ケーブル１００の延在方向に沿って延在している抗張力体である。テンションメンバ１０６ａ，１０６ｂは、光ファイバ１０２が配置されている領域を挟んで対向する位置に一対配置さている。テンションメンバ１０６ａ，１０６ｂは、図４に示すように、光ケーブル１００の延在方向から見て、外被１０４の厚み方向の略中央部に配置されている。テンションメンバ１０６ａ，１０６ｂは、例えば鋼線、ガラス繊維強化樹脂、アラミド繊維、強化樹脂等であり、その直径が例えば０．７〜１５ｍｍ程度である。
【００２０】
切裂き紐１０８ａ，１０８ｂは、光ケーブル１００の延在方向に沿って延在している。切裂き紐１０８ａ，１０８ｂは、光ファイバ１０２が配置されている領域を挟んで対向する位置に一対配置されている。切裂き紐１０８ａ，１０８ｂは、突起部１０５ａ，１０５ｂと同一直線上に配置されている。テンションメンバ１０６ａ，１０６ｂの対向方向と切裂き紐１０８ａ，１０８ｂの対向方向とは、略直交している。切裂き紐１０８ａ，１０８ｂは、外被１０４の内面１０４ｂ近傍に配置されている。切裂き紐１０８ａ，１０８ｂは、例えばアラミド繊維、テトロン繊維等の項張力高分子繊維、鋼線、アルミニウム線、導線等の金属線、ガラス繊維、綿糸等であり、３０００ｄ程度である。
【００２１】
上記構成を有する光ケーブル１００は、テンションメンバ１０６ａ，１０６ｂの対向方向に沿ったでは曲がり難く、切裂き紐１０８ａ，１０８ｂの対向方向に沿ったでは曲がり易い。光ケーブル１００では、切裂き紐１０８ａ，１０８ｂが引っ張られることにより、外被１０４が切裂かれる。これにより、光ケーブル１００では、光ファイバ１０２が露出する。
【００２２】
続いて、ケーブルカッター１について説明する。図１〜図３に示すように、ケーブルカッター１は、本体部３と、ローラー部５と、切込み刃７と、スライド部９と、ロック機構（固定機構）１１と、を備えている。
【００２３】
本体部３は、略直方体形状を呈しており、互いに対向する一対の第１及び第２端面部３ａ，３ｂと、互いに対向する上面部３ｃ及び下面部３ｄと、互いに対向する第１及び第２側面部３ｅ，３ｆと、を備えている。本体部３の第１側面部３ｅは、第１端面部３ａから第２端面部３ｂに亘って、第２側面部３ｆ側に凸状に湾曲している。
【００２４】
本体部３の第１側面部３ｅには、光ケーブル１００が配置される溝部１３が設けられている。溝部１３は、第１側面部３ｅにおいて上面部３ｃ側に配置されており、本体部３の長手方向に沿って（第１端面部３ａから第２端面部３ｂに亘って）形成されている。溝部１３は、断面が略Ｕ字形状（図５参照）を呈している。溝部１３の直径φは、例えば１２ｍｍ程度である。溝部１３の両端部１３ａ，１３ｂは、断面が略Ｖ字形状（図３参照）を呈している。溝部１３の両端部１３ａ，１３ｂは、外側に広がっている。
【００２５】
溝部１３は、第１側面部３ｅの湾曲形状に沿って設けられている。すなわち、溝部１３は、第１端面部３ａから第２端面部３ｂに亘って、第２側面部３ｆ側に凸状に湾曲している。
【００２６】
本体部３の上面部３ｃには、切欠き部１５が設けられている。切欠き部１５は、第１側面部３ｅ側に位置し、上面部３ｃの端部の略中央部に配置されている。切欠き部１５は、溝部１３に配置された後述する切込み刃７を上面部３ｃ側から目視可能としている。
【００２７】
ローラー部５は、ローラー（挟持部）１７と、支持部１９と、を有している。ローラー１７は、本体部３の溝部１３と対向する位置に配置されている。具体的には、ローラー１７は、溝部１３の略中央部で且つ切込み刃７と対向する位置に配置されている。ローラー１７には、全周に亘ってＶ字形状の溝部１７ａが形成されている。ローラー１７は、支持部１９に回転可能に設けられている。
【００２８】
支持部１９は、ローラー１７を回転可能に支持している。支持部１９は、例えば円柱状を呈しており、ローラー１７が上部に配置されている。支持部１９は、スライド部９にスライド自在に取り付けられている。
【００２９】
切込み刃７は、光ケーブル１００の外被１０４に切り込みを入れる刃であり、円盤状を呈している。切込み刃７は、本体部３に回転可能に配置されている。切込み刃７は、溝部１３の略中央部で且つローラー１７と対向する位置に配置されており、溝部１３の内面１３ｓから一部が突出している。具体的には、切込み刃７は、本体部３において上面部３ｃの上面３ｃｓ（下面部３ｄの下面３ｄｓ）と略平行に配置されており、縁部が溝部１３の内面１３ｓから突出している。すなわち、切込み刃７は、溝部１３とローラー１７の対向方向に沿って、溝部１３の内面１３ｓから突出している。切込み刃７の突出量は、光ケーブル１００の外被１０４の厚みに応じて適宜設定されればよい。
【００３０】
スライド部９は、ローラー部５を本体部３に対して近接及び離間する方向にスライドさせる。スライド部９は、板状の部材であり、本体部３の第１側面部３ｅの下端に連結されている。すなわち、スライド部９は、本体部３の第１側面部３ｅの下端部から延伸している。スライド部９は、スライド孔９ａを有している。スライド孔９ａは、本体部３の第１及び第２側面部３ｅ，３ｆの対向方向（スライド部９の延在方向）に沿って延在する長孔である。
【００３１】
スライド孔９ａには、ローラー部５の支持部１９が取り付けられている。支持部１９は、スライド孔９ａに位置する部分がくびれていると共に、下部に鍔部１９ａを有している。これにより、支持部１９は、スライド部９から離脱することが防止されていると共に、スライド部９のスライド孔９ａに沿ってスライドする。
【００３２】
ロック機構１１は、ローラー１７が溝部１３に対して光ケーブル１００を押圧した状態でローラー１７固定する。ロック機構１１は、操作部２１と、雌ねじ部２３と、から構成されている。操作部２１は、例えば棒状の部材である。操作部２１は、支持部１９に取り付けられている。操作部２１は、支持部１９の貫通孔１９ｈにおいて回転可能に設けられていると共に、延在方向への移動が規制されている。操作部２１の先端部は、本体部３の挿通孔Ｈに挿通されている。挿通孔Ｈは、本体部３の第１側面部３ｅに開口しており、第１側面部３ｅと第２側面部３ｆとの対向方向に沿って設けられている。
【００３３】
操作部２１の一端には、把持部２５が設けられている。把持部２５は、略円柱状を呈している。操作部２１の他端（先端部）には、雄ねじ部２１ａが形成されている。雄ねじ部２１ａは、本体部３に設けられた雌ねじ部２３と螺合する。雌ねじ部２３は、挿通孔Ｈと連通しており、本体部３の第２側面部３ｆ側に配置されている。すなわち、操作部２１は、本体部３側に押し込まれると、挿通孔Ｈを通過し、所定量押し込まれたときに（所定距離移動したときに）、雄ねじ部２１ａが雄ねじ部２３に到達する。ロック機構１１では、雄ねじ部２１ａと雌ねじ部２３とが螺合することにより、ローラー部５の位置を固定する。
【００３４】
操作部２１には、ばね２７が挿通されている。ばね２７は、支持部１９と雌ねじ部２３との間に配置されている。すなわち、ばね２７の一端部は、挿通孔Ｈに位置している。ばね２７は、ローラー部５（支持部１９）が本体部３から離間する方向に支持部１９を付勢している。これにより、ローラー部５は、雄ねじ部２１ａと雌ねじ部２３との螺合が解除されると、元の位置（スライド部９の端部側）に戻る。
【００３５】
続いて、ケーブルカッター１を用いて光ケーブル１００に切り込みを入れ、外被１０４を除去する方法について、図５〜図１０を参照して説明する。なお、図６、図８及び図１０では、光ケーブル１００の断面構成の一部を省略して図示している。
【００３６】
図５及び図６に示すように、まず光ケーブル１００を溝部１３に配置する。具体的には、光ケーブル１００の突起部１０５ａ，１０５ｂ（ここでは突起部１０５ｂ）が切込み刃７と対向するように、光ケーブル１００を溝部１３の両端部１３ａ，１３ｂに配置する。すなわち、光ケーブル１００の切裂き紐１０８ｂの対応する位置に切込み刃７が位置するように、光ケーブル１００を配置する。
【００３７】
次に、図７及び図８に示すように、操作部２１を本体部３側に押し込み、ローラー１７を光ケーブル１００に押し当てる。続いて、図９及び図１０に示すように、操作部２１を更に押し込む。このとき、光ケーブル１００の配置が間違っている場合（テンションメンバ１０６ａ，１０６ｂが切込み刃７と対向している場合）には、テンションメンバ１０６ａ，１０６ｂにより、光ケーブル１００が屈曲しない。光ケーブル１００の配置が合っている場合には、操作部２１を更に押し込み、操作部２１の雄ねじ部２１ａを雌ねじ部２３に螺合させ、溝部１３の内面１３ｓに光ケーブル１００の外被１０４を当接させてローラー１７の位置を固定する。これにより、ローラー１７により押圧された光ケーブル１００の外被１０４に切込み刃７が食い込む。切込み刃７は、切裂き紐１０８ｂに到達する位置まで食い込む。
【００３８】
続いて、光ケーブル１００とケーブルカッター１とを相対的に移動させる。本実施形態では、例えば、ケーブルカッター１の位置を固定した状態で光ケーブル１００を引っ張る。これにより、切込み刃７が外被１０４に食い込んだ状態で、光ケーブル１００が溝部１３に沿って移動する。これにより、光ケーブル１００に切込みが形成される。
【００３９】
続いて、切込み刃７により切込みが入れられた光ケーブル１００から切裂き紐１０８ｂを取り出す。最後に、切裂き紐１０８ｂを引っ張り、外被１０４を切り裂く。
【００４０】
以上説明したように、本実施形態のケーブルカッター１は、溝部１３と協働して光ケーブル１００を挟持するローラー１７と、切込み刃７とを備えている。切込み刃７は、溝部１３とローラー１７とが光ケーブル１００を挟持する位置に配置され、溝部１３及びローラー１７の対向方向に突出している。これにより、ケーブルカッター１では、光ケーブル１００を溝部１３とローラー１７とで挟持したときに、切込み刃７が光ケーブル１００の外被１０４に食い込む。そして、ケーブルカッター１では、光ケーブル１００を挟持した状態で例えば光ケーブル１００を引っ張ると、ローラー１７が回転して光ケーブル１００が溝部１３に沿って移動し、この動作により光ケーブル１００の外被１０４に切込みを入れることができる。このように、ケーブルカッター１では、一度の作業により光ケーブル１００の外被１０４に切り込みを入れることができる。したがって、ケーブルカッター１では、容易に且つ効率的に外被に切込みを入れることができる。
【００４１】
ここで、光ケーブル１００は、テンションメンバ１０６ａ，１０６ｂの対向方向に沿ったでは曲がり難く、切裂き紐１０８ａ，１０８ｂの対向方向に沿ったでは曲がり易いといった特性を有している。すなわち、光ケーブル１００は、曲がる方向が一義的に決められており、曲がったときの湾曲部分の外側及び内側に切裂き紐１０８ａ，１０８ｂが位置する。ケーブルカッター１では、溝部１３がローラー１７から見て凸状に湾曲している。これにより、ケーブルカッター１では、光ケーブル１００を湾曲した状態で配置することができる。このとき、光ケーブル１００における切裂き紐１０８ａ，１０８ｂの対向方向と、切込み刃７が突出する方向とが略一致するため、切裂き紐１０８ａ，１０８ｂの配置された位置に切込み刃７が切り込む。したがって、ケーブルカッター１では、光ケーブル１００の位置決めを正確に行うことができ、切裂き紐１０８ａ，１０８ｂの位置に切込みを入れることができる。
【００４２】
本実施形態では、ローラー１７が光ケーブル１００を溝部１３に対して押圧した状態で、ローラー１７の位置を固定するロック機構１１を備えている。これにより、ケーブルカッター１では、切裂き刃７が光ケーブル１００の外被１０４に切り込んだ状態を維持できる。そのため、ケーブルカッター１では、外被１０４に切込みを入れる作業をより容易に行うことができる。
【００４３】
本発明は、上記実施形態に限定されるものではない。例えば、上記実施形態では、ケーブルカッター１により切込みを入れる対象として光ケーブル１００を一例に説明したが、ケーブルは光ケーブル１００に限定されない。例えば、ケーブルは、上記の光ケーブル１００に支持線が設けられているものであってもよいし、外被の内面に止水材が配置されているものであってもよい。また、ケーブルは、光ファイバを有するものに限定されず、電線（金属線）を有するものであってもよい。
【００４４】
上記実施形態では、溝部１３が湾曲している構成を一例に説明したが、溝部は直線状であってもよい。
【００４５】
上記実施形態では、溝部１３に切込み刃７が配置されている構成を一例に説明したが、切込み刃はローラーに配置されていてもよい。
【００４６】
上記実施形態では、溝部１３の略中央部において溝部１３とローラー１７とが対向する構成を一例に説明したが、ローラーの配置はこれに限定されない。また、ローラーは、複数配置されていてもよい。要は、溝部とローラーとがケーブルを挟持する位置に切込み刃が配置されていればよい。
【符号の説明】
【００４７】
１…ケーブルカッター、３…本体部、７…切込み刃、１１…ロック機構（固定機構）、１３…溝部、１７…ローラー（挟持部）、１００…光ケーブル、１０４…外被。
【図１】
2014176200.tif 000003
【図２】
2014176200.tif 000004
【図３】
2014176200.tif 000005
【図４】
2014176200.tif 000006
【図５】
2014176200.tif 000007
【図６】
2014176200.tif 000008
【図７】
2014176200.tif 000009
【図８】
2014176200.tif 000010
【図９】
2014176200.tif 000011
【図１０】
2014176200.tif 000012